(57)【要約】      （修正有）【課題】音声出力装置を提供する。【解決手段】主に、定位フレーム１、音声発信部材２、及び蓋体３を備える。定位フレーム１は少なくとも一つの底部１１と、底部１１の周囲を適当な高さで繞設する壁部１２を有する。音声発信部材２は複数層のセラミック材料を重ね合わせて構成し、その表面には少なくとも二つの音声信号導入接点２１を設ける。音声発信部材２は定位フレーム１に配置し、二つの接触弾性片４を蓋体３に突出させた後、蓋体３を定位フレーム１に被嵌する。これにより、接触弾性片４は音声発信部材２の音声信号導入接点２１に接触する。接触弾性片４を各種製品の電力増幅回路に接続することにより、音声発信部材２は音声周波数信号を受信した後に音響を導き出す。また、タブレット型コンピュータ、スマートフォン等の薄型化製品に応用する際は、薄型化製品に防水効果を実現する。【選択図】図３
0003189384.tif 000002
【実用新案登録請求の範囲】
【請求項１】
定位フレームと音声発信部材と蓋体と接触弾性片とを備える音声出力装置であって、
前記定位フレームは、少なくとも一つの底部と、底部周囲を繞設し適当な高さを有する壁部を備え、
前記音声発信部材は、定位フレームに配置し、複数のセラミック材料を重ね合わせて構成され、その表面には少なくとも二つの音声信号導入接点を設け、
前記蓋体は定位フレームに被嵌し、
前記接触弾性片は音声発信部材の音声信号導入接点に接触して上部を押圧し、上端は蓋体に突出し、各種製品の電力増幅回路に接続することにより、音声発信部材は音声周波数信号を受信した後に音響を導き出し、また、iPad、iPhoneまたはスマートフォン等の薄型化製品に応用できることを特徴とする音声出力装置。
【請求項２】
前記蓋体は音声発信部材の音声信号導入接点に対応する貫通孔を設け、接触弾性片を蓋体に貫通させて突出させることを特徴とする請求項１に記載の音声出力装置。
【請求項３】
前記接触弾性片は屈曲形状の上部支持部と上部支持部から延長する連接部を備え、適当な弾性を備えることを特徴とする請求項１に記載の音声出力装置。
【考案の詳細な説明】
【技術分野】
【０００１】
本考案は音声出力装置に関し、特にiPad、iPhoneまたはスマートフォン等の薄型化製品に応用するものであり、組立てが便利で、防水効果を備えた薄型化製品を構成できる音声出力装置に係る。
【背景技術】
【０００２】
科学技術の迅速な進歩により、一般のiPad、iPhoneまたはスマートフォン等の３Ｃ製品（コンピュータ、通信機器、消費者向け電子製品）は徐々に軽薄短小型を目標として研究開発が進められている。それに従い前記製品に使用される部材も薄型化されている。音を発信する音声出力装置について言えば通常はスピーカーが主流である。しかし、現段階のスピーカーは小型化をすでに達成しているが、更なる軽薄化は不可能であり、体積は３Ｃ製品のニーズに応えられなくなっている。しかも、小型化スピーカーは音声を導くもので、現有の３Ｃ製品はケースに穴をあける必要があるので、根本的に防水効果を達成できない。また、小型化のスピーカーには薄型化によって音声周波数の損失がみられるため、これも実に業者及び消費者に受け入れ難いものである。現段階では薄型スピーカーは前記欠点を若干改善しているが、製造工程には音を発信する部材を鋼板に固定しなければならないため加工が複雑である。そこで出願者は前記問題点に鑑み、本業務に長年従事した経験に基づいて研究と実験を重ね、ついに、iPad、iPhoneまたはスマートフォン等の３Ｃ製品に応用でき、製造及び組立てが便利な音声出力装置を誕生させた。
【考案の概要】
【考案が解決しようとする課題】
【０００３】
本考案の主な目的は、音声出力装置の提供にあり、iPad、iPhoneまたはスマートフォン等の薄型化製品に提供し、組立てが便利で防水効果を備えた薄型化製品を構成することができる。
【課題を解決するための手段】
【０００４】
前記音声出力装置は、定位フレーム、音声発信部材、及び蓋体を備える。前記定位フレームは少なくとも一つの底部と、底部の周囲を適当な高さで繞設する壁部を有する。前記音声発信部材は複数のセラミック材料を重ね合わせて構成し、その表面には少なくとも二つの音声信号導入接点を設け、音声発信部材は定位フレームに配置し、二つの接触弾性片を蓋体に突出させた後、蓋体を定位フレームに被嵌する。これにより、接触弾性片は音声発信部材の音声信号導入接点に接触する。接触弾性片を各種製品の電力増幅回路に接続することにより、音声発信部材は音声周波数信号を受信した後に音響を導き出す。また、iPad、iPhoneまたはスマートフォン等の薄型化製品に応用する際は、薄型化製品に防水効果を実現する。
【０００５】
前記音声出力装置の接触弾性片は、屈曲形状の上部支持部と、上部支持部から延長する連接部とを設けることにより適当な弾性を備えられ、音声発信部材の音声信号導入接点に確実に接触するのを助ける。
【０００６】
前記音声出力装置の蓋体は音声発信部材の音声信号導入接点に対応する貫通孔を設けて、接触弾性片を蓋体に貫通突出させる。
【考案の効果】
【０００７】
本考案の音声出力装置は、組立てが便利で、防水効果を有することを特徴とする。
【図面の簡単な説明】
【０００８】
【図１】本考案の立体図である。
【図２】本考案の立体分解図である。
【図３】本考案の断面図である。
【図４】本考案の応用実施例図である。
【図５】本考案により音声を伝える状態図である。
【考案を実施するための形態】
【実施例】
【０００９】
図１及び図２に本考案の立体図及び立体分解図を示す。図に示す通り、本考案は主に、定位フレーム１、音声発信部材２、蓋体３、接触弾性片４を備える。前記定位フレーム１は少なくとも一つの底部１１と、底部１１の周囲を適当な高さで繞設する壁部１２とを含む。前記音声発信部材２は複数のセラミック材料を重ね合わせて構成し、その表面には少なくとも二つの音声信号導入接点２１を設ける。蓋体３は音声発信部材２の音声信号導入接点２１に対応する貫通孔３１を設け、接触弾性片４は屈曲形状の上部支持部４１と、上部支持部４１から延長する連接部４２とを設け、適当な弾性を備えさせる。
【００１０】
前記構成部材の組み合わせにより音声発信部材２を定位フレーム１内に配置し、二つの接触弾性片４の連接部４２を蓋体３の貫通孔３１に通して蓋体３に露出させ、蓋体３を定位フレーム１に被嵌して接触弾性片４の上部支持部４１を音声発信部材２の音声信号導入接点２１に接触させることにより音声出力装置Ａが構成される。接触弾性片４の連接部４２を各種製品の電力増幅回路に接続し、音声発信部材２が音声周波数信号を受信した後にその音響を導き出す。また、iPad、iPhoneまたはスマートフォン等の薄型化製品に応用することもできる。本実施例において、本考案をiPad、iPhoneまたはスマートフォン等の薄型化製品に組み入れる場合、それらの製品に直接貼り付けて製品と共鳴させる。これにより、使用者が聞く状態にある時には、使用者の外耳道と外側音響部分を形成するため、音声の出力がより明晰になる。しかも、薄型化製品は公知の薄型スピーカーのように穴を開けて音を導き出す必要もないため、薄型化製品に防水効果を持たせられる。
【００１１】
図３に本考案の断面図を示す。図に示すとおり、本考案を組み立てた後、音声発信部材２は定位フレーム１内に配置され、接触弾性片４の上部支持部４１は音声発信部材２の音声信号導入接点２１に接触する。連接部４２は蓋体３を通過し蓋体３の上部に突出する。また、前記接触弾性片４には上部支持部４１を含むため、それは適当な弾性を備えたものとなり、蓋体３を定位フレーム１に被嵌すると、接触弾性片４は適当に下方向に圧せられ、上部支持部４１は圧力を支えるため、音声発信部材２の音声信号導入接点２１に緊密に接触して簡単に離脱できなくなり、音声信号の受信状態を確実にする。
【００１２】
図４に本考案の応用実施例図を示す。図に示すとおり、本考案を応用する際には、iPad、iPhoneまたはスマートフォン等の薄型化製品に直接貼り付けることも可能である。本実施例では、音声出力装置Ａをスマートフォン５に直接貼り付けるため、スマートフォン５に穴をあける必要がなく、スマートフォン５の防水効果を達成し、スマートフォン５の音声出力装置Ａの組立てが更に便利になる。
【００１３】
図５は本考案により音声を伝える状態図を示す。図２及び図４を共に参照していただくと、図に示すとおり、本考案の使用時は、音声出力装置Ａをスマートフォン５に直接貼り付けてあり、スマートフォン５と共鳴するため、使用者が聞く状態にある時、使用者の外耳道Ｂに外側音響部分が形成される。また、本考案の生じる音声には歪みが生じる可能性があるため、外耳道Ｂに形成された外側音響部分によって元の状態に戻るため、音声はさらに明晰になる。また、公知の薄型スピーカーによって構成された音声出力装置は、使用者がスマートフォン５を耳部に合わせていない場合にはその音声受信効果は顕著ではなかったが、本考案はスマートフォン５を耳部近くの範囲に移動するだけではっきりと音声出力装置Ａから出力される音声を聞き取ることができる。
【００１４】
前記実施例は、単に本考案の好ましい実施形態を説明するためのものであり、本考案の実施範囲に制約を加えるものではない。よって、若干の修飾、変更は、本考案の重要意義を失っておらず、本考案の創作精神の範囲を逸脱しないものとみなす。
【００１５】
前述をまとめると、本考案は音声発信部材２を備えた定位フレーム１と、音声発信部材２に組み合わせてそれを押圧する接触弾性片４と、定位フレーム１に被嵌する蓋体３によって音声出力装置Ａを構成する。iPad、iPhoneまたはスマートフォン等の薄型化製品に応用し、その組立ては非常に便利であり、薄型化製品に防水効果を備えさせることができる。実用性且つ新規性を備えた設計である故、ここに法に依拠して特許の出願を行う。貴庁には審査を通して早期に許可して頂けることをお願い申し上げます。    
【符号の説明】
【００１６】
１  定位フレーム
１１  底部
１２  壁部
２  音声発信部材
２１  音声信号導入接点
３  蓋体
３１  貫通孔
４  接触弾性片
４１  上部支持部
４２  連接部
５  スマートフォン
Ａ  音声出力装置
Ｂ  外耳道
【図１】
0003189384.tif 000003
【図２】
0003189384.tif 000004
【図３】
0003189384.tif 000005
【図４】
0003189384.tif 000006
【図５】
0003189384.tif 000007
【手続補正書】
【提出日】平成26年1月14日(2014.1.14)
【手続補正１】
【補正対象書類名】明細書
【補正対象項目名】全文
【補正方法】変更
【補正の内容】
【考案の詳細な説明】
【技術分野】
【０００１】
本考案は音声出力装置に関し、特にタブレット型コンピューター、スマートフォン等の薄型化製品に応用するものであり、組立てが便利で、防水効果を備えた薄型化製品を構成できる音声出力装置に係る。
【背景技術】
【０００２】
科学技術の迅速な進歩により、一般のタブレット型コンピューター、スマートフォン等の３Ｃ製品（コンピュータ、通信機器、消費者向け電子製品）は徐々に軽薄短小型を目標として研究開発が進められている。それに従い前記製品に使用される部材も薄型化されている。音を発信する音声出力装置について言えば通常はスピーカーが主流である。しかし、現段階のスピーカーは小型化をすでに達成しているが、更なる軽薄化は不可能であり、体積は３Ｃ製品のニーズに応えられなくなっている。しかも、小型化スピーカーは音声を導くもので、現有の３Ｃ製品はケースに穴をあける必要があるので、根本的に防水効果を達成できない。また、小型化のスピーカーには薄型化によって音声周波数の損失がみられるため、これも実に業者及び消費者に受け入れ難いものである。現段階では薄型スピーカーは前記欠点を若干改善しているが、製造工程には音を発信する部材を鋼板に固定しなければならないため加工が複雑である。そこで出願者は前記問題点に鑑み、本業務に長年従事した経験に基づいて研究と実験を重ね、ついに、タブレット型コンピューター、スマートフォン等の３Ｃ製品に応用でき、製造及び組立てが便利な音声出力装置を誕生させた。
【考案の概要】
【考案が解決しようとする課題】
【０００３】
本考案の主な目的は、音声出力装置の提供にあり、タブレット型コンピューター、スマートフォン等の薄型化製品に提供し、組立てが便利で防水効果を備えた薄型化製品を構成することができる。
【課題を解決するための手段】
【０００４】
前記音声出力装置は、定位フレーム、音声発信部材、及び蓋体を備える。前記定位フレームは少なくとも一つの底部と、底部の周囲を適当な高さで繞設する壁部を有する。前記音声発信部材は複数のセラミック材料を重ね合わせて構成し、その表面には少なくとも二つの音声信号導入接点を設け、音声発信部材は定位フレームに配置し、二つの接触弾性片を蓋体に突出させた後、蓋体を定位フレームに被嵌する。これにより、接触弾性片は音声発信部材の音声信号導入接点に接触する。接触弾性片を各種製品の電力増幅回路に接続することにより、音声発信部材は音声周波数信号を受信した後に音響を導き出す。また、タブレット型コンピューター、スマートフォン等の薄型化製品に応用する際は、薄型化製品に防水効果を実現する。
【０００５】
前記音声出力装置の接触弾性片は、屈曲形状の上部支持部と、上部支持部から延長する連接部とを設けることにより適当な弾性を備えられ、音声発信部材の音声信号導入接点に確実に接触するのを助ける。
【０００６】
前記音声出力装置の蓋体は音声発信部材の音声信号導入接点に対応する貫通孔を設けて、接触弾性片を蓋体に貫通突出させる。
【考案の効果】
【０００７】
本考案の音声出力装置は、組立てが便利で、防水効果を有することを特徴とする。
【図面の簡単な説明】
【０００８】
【図１】本考案の立体図である。
【図２】本考案の立体分解図である。
【図３】本考案の断面図である。
【図４】本考案の応用実施例図である。
【図５】本考案により音声を伝える状態図である。
【考案を実施するための形態】
【実施例】
【０００９】
図１及び図２に本考案の立体図及び立体分解図を示す。図に示す通り、本考案は主に、定位フレーム１、音声発信部材２、蓋体３、接触弾性片４を備える。前記定位フレーム１は少なくとも一つの底部１１と、底部１１の周囲を適当な高さで繞設する壁部１２とを含む。前記音声発信部材２は複数のセラミック材料を重ね合わせて構成し、その表面には少なくとも二つの音声信号導入接点２１を設ける。蓋体３は音声発信部材２の音声信号導入接点２１に対応する貫通孔３１を設け、接触弾性片４は屈曲形状の上部支持部４１と、上部支持部４１から延長する連接部４２とを設け、適当な弾性を備えさせる。
【００１０】
前記構成部材の組み合わせにより音声発信部材２を定位フレーム１内に配置し、二つの接触弾性片４の連接部４２を蓋体３の貫通孔３１に通して蓋体３に露出させ、蓋体３を定位フレーム１に被嵌して接触弾性片４の上部支持部４１を音声発信部材２の音声信号導入接点２１に接触させることにより音声出力装置Ａが構成される。接触弾性片４の連接部４２を各種製品の電力増幅回路に接続し、音声発信部材２が音声周波数信号を受信した後にその音響を導き出す。また、タブレット型コンピューター、スマートフォン等の薄型化製品に応用することもできる。本実施例において、本考案をタブレット型コンピューター、スマートフォン等の薄型化製品に組み入れる場合、それらの製品に直接貼り付けて製品と共鳴させる。これにより、使用者が聞く状態にある時には、使用者の外耳道と外側音響部分を形成するため、音声の出力がより明晰になる。しかも、薄型化製品は公知の薄型スピーカーのように穴を開けて音を導き出す必要もないため、薄型化製品に防水効果を持たせられる。
【００１１】
図３に本考案の断面図を示す。図に示すとおり、本考案を組み立てた後、音声発信部材２は定位フレーム１内に配置され、接触弾性片４の上部支持部４１は音声発信部材２の音声信号導入接点２１に接触する。連接部４２は蓋体３を通過し蓋体３の上部に突出する。また、前記接触弾性片４には上部支持部４１を含むため、それは適当な弾性を備えたものとなり、蓋体３を定位フレーム１に被嵌すると、接触弾性片４は適当に下方向に圧せられ、上部支持部４１は圧力を支えるため、音声発信部材２の音声信号導入接点２１に緊密に接触して簡単に離脱できなくなり、音声信号の受信状態を確実にする。
【００１２】
図４に本考案の応用実施例図を示す。図に示すとおり、本考案を応用する際には、タブレット型コンピューター、スマートフォン等の薄型化製品に直接貼り付けることも可能である。本実施例では、音声出力装置Ａをスマートフォン５に直接貼り付けるため、スマートフォン５に穴をあける必要がなく、スマートフォン５の防水効果を達成し、スマートフォン５の音声出力装置Ａの組立てが更に便利になる。
【００１３】
図５は本考案により音声を伝える状態図を示す。図２及び図４を共に参照していただくと、図に示すとおり、本考案の使用時は、音声出力装置Ａをスマートフォン５に直接貼り付けてあり、スマートフォン５と共鳴するため、使用者が聞く状態にある時、使用者の外耳道Ｂに外側音響部分が形成される。また、本考案の生じる音声には歪みが生じる可能性があるため、外耳道Ｂに形成された外側音響部分によって元の状態に戻るため、音声はさらに明晰になる。また、公知の薄型スピーカーによって構成された音声出力装置は、使用者がスマートフォン５を耳部に合わせていない場合にはその音声受信効果は顕著ではなかったが、本考案はスマートフォン５を耳部近くの範囲に移動するだけではっきりと音声出力装置Ａから出力される音声を聞き取ることができる。
【００１４】
前記実施例は、単に本考案の好ましい実施形態を説明するためのものであり、本考案の実施範囲に制約を加えるものではない。よって、若干の修飾、変更は、本考案の重要意義を失っておらず、本考案の創作精神の範囲を逸脱しないものとみなす。
【００１５】
前述をまとめると、本考案は音声発信部材２を備えた定位フレーム１と、音声発信部材２に組み合わせてそれを押圧する接触弾性片４と、定位フレーム１に被嵌する蓋体３によって音声出力装置Ａを構成する。タブレット型コンピューター、スマートフォン等の薄型化製品に応用し、その組立ては非常に便利であり、薄型化製品に防水効果を備えさせることができる。実用性且つ新規性を備えた設計である故、ここに法に依拠して特許の出願を行う。貴庁には審査を通して早期に許可して頂けることをお願い申し上げます。
【符号の説明】
【００１６】
１  定位フレーム
１１  底部
１２  壁部
２  音声発信部材
２１  音声信号導入接点
３  蓋体
３１  貫通孔
４  接触弾性片
４１  上部支持部
４２  連接部
５  スマートフォン
Ａ  音声出力装置
Ｂ  外耳道
【手続補正２】
【補正対象書類名】実用新案登録請求の範囲
【補正対象項目名】全文
【補正方法】変更
【補正の内容】
【実用新案登録請求の範囲】
【請求項１】
定位フレームと音声発信部材と蓋体と接触弾性片とを備える音声出力装置であって、
前記定位フレームは、少なくとも一つの底部と、底部周囲を繞設し適当な高さを有する壁部を備え、
前記音声発信部材は、定位フレームに配置し、複数のセラミック材料を重ね合わせて構成され、その表面には少なくとも二つの音声信号導入接点を設け、
前記蓋体は定位フレームに被嵌し、
前記接触弾性片は音声発信部材の音声信号導入接点に接触して上部を押圧し、上端は蓋体に突出し、各種製品の電力増幅回路に接続することにより、音声発信部材は音声周波数信号を受信した後に音響を導き出し、また、タブレット型コンピューター、スマートフォン等の薄型化製品に応用できることを特徴とする音声出力装置。
【請求項２】
前記蓋体は音声発信部材の音声信号導入接点に対応する貫通孔を設け、接触弾性片を蓋体に貫通させて突出させることを特徴とする請求項１に記載の音声出力装置。
【請求項３】
前記接触弾性片は屈曲形状の上部支持部と上部支持部から延長する連接部を備え、弾性を備えることを特徴とする請求項１に記載の音声出力装置。